(57)【要約】【課題】ローカル・ゲートウェイ（LGW）の負荷を過度に増やさずに、Policy and Charging Control（PCC）ルールをLGWに適用することを可能にすることに寄与する。【解決手段】コントロールプレーン機能を持つコアネットワーク・エンティティ（２４）は、ポリシー機能（２５）から、データネットワークにローカルアクセスするデータトラフィックに関する情報を含むPolicy and Charging Control（PCC）ルールを受信し、当該情報をユーザプレーン機能（１４）に供給する。【選択図】図２
2020025351.tif 000002
【特許請求の範囲】
【請求項１】
ポリシー機能から、データネットワークにローカルアクセスするデータトラフィックに関する情報を含むPolicy and Charging Control（PCC）ルールを受信すること、及び
前記情報を、ユーザプレーン機能に供給すること、
を備える、コントロールプレーン機能を持つコアネットワーク・エンティティにより行われる方法。
【請求項２】
前記情報は、前記データネットワークにローカルアクセスする前記データトラフィックのための情報である、請求項１に記載の方法。
【請求項３】
前記ユーザプレーン機能は、アクセスネットワークに配置される、請求項１または２に記載の方法。
【請求項４】
前記データトラフィックを検出するために前記ユーザプレーン機能を制御することをさらに備える、請求項１〜３のいずれか１項に記載の方法。
【請求項５】
前記データトラフィックは複数のサービスデータフローから成る、請求項１〜４のいずれか１項に記載の方法。
【請求項６】
前記コアネットワーク・エンティティはインタフェースを介して前記ポリシー機能に直接的に接続される、請求項１〜５のいずれか１項に記載の方法。
【請求項７】
前記ポリシー機能はアプリケーション機能（Application Function（AF））と通信する、請求項１〜６のいずれか１項に記載の方法。
【請求項８】
コントロールプレーン機能を持つコアネットワーク・エンティティと通信すること、及び
前記コアネットワーク・エンティティに、データネットワークにローカルアクセスするデータトラフィックに関する情報を含むPolicy and Charging Control（PCC）ルールを送信すること、
を備え、
前記情報は、前記コアネットワーク・エンティティによって、ユーザプレーン機能に供給される、
ポリシー機能により行われる方法。
【請求項９】
前記情報は、前記データネットワークにローカルアクセスする前記データトラフィックのための情報である、請求項８に記載の方法。
【請求項１０】
前記ユーザプレーン機能は、アクセスネットワークに配置される、請求項８または９に記載の方法。
【請求項１１】
前記ユーザプレーン機能は前記データトラフィックを検出するために前記コアネットワーク・エンティティによって制御される、請求項８〜１０のいずれか１項に記載の方法。
【請求項１２】
前記データトラフィックは複数のサービスデータフローから成る、請求項８〜１１のいずれか１項に記載の方法。
【請求項１３】
前記コアネットワーク・エンティティはインタフェースを介して前記ポリシー機能に直接的に接続される、請求項８〜１２のいずれか１項に記載の方法。
【請求項１４】
アプリケーション機能（Application Function（AF））と通信することをさらに備える、請求項８〜１３のいずれか１項に記載の方法。
【請求項１５】
ポリシー機能から、データネットワークにローカルアクセスするデータトラフィックに関する情報を含むPolicy and Charging Control（PCC）ルールを受信し、且つユーザプレーン機能に前記情報を供給するよう構成されたトランシーバを備える、
コントロールプレーン機能を持つコアネットワーク・エンティティ。
【請求項１６】
コントロールプレーン機能を持つコアネットワーク・エンティティと通信し、前記コアネットワーク・エンティティに、データネットワークにローカルアクセスするデータトラフィックに関する情報を含むPolicy and Charging Control（PCC）ルールを送信するよう構成されたトランシーバを備え、
前記情報は、前記コアネットワーク・エンティティによって、ユーザプレーン機能に供給される、
ポリシー機能。
【発明の詳細な説明】
【技術分野】
【０００１】
本明細書の開示は、無線通信ネットワークに関し、特に、無線アクセスネットワーク（Radio Access Network（RAN））でのトラフィックオフロードに関する。
【背景技術】
【０００２】
非特許文献１は、RANでのトラフィック・オフローディングのためにThird Generation Partnership Project（3GPP）において標準化されている技術について開示している。トラフィックオフローディングは、コアネットワーク（i.e., Evolved Packet Core（EPC））をバイパスしつつ、ユーザプレーン（user plane（U-plane））のデータトラフィックを直接的にインターネット又はその他のInternet Protocol（IP）ネットワークに送る技術を意味する。トラフィックオフローディングのために3GPPにおいて標準化されている主な技術は、Local IP Access（LIPA）及びSelected IP Traffic Offload（SIPTO）である。
【０００３】
LIPAは、Home eNodeBs（HeNBs）に向けられた技術である。LIPAは、HeNBを介して接続されたIP capable User Equipment（UE）に、ユーザプレーンがコアネットワーク（EPC）を経由することなく、同じ住宅（residential）／企業（enterprise）IPネットワーク内の他のIP能力を持つエンティティ（other IP capable entities）へアクセスすることを可能にする。LIPAは、HeNBと一体的に配置された（collocated）Local Gateway（LGW）を使用することにより達成される。LIPAは、UEがLIPAが許可されているAccess Point Name（APN）への新たなPacket Data Network（PDN）コネクションを要求するとともに、ネットワークがHeNBに関連付けられたLGWを選択し且つLGWとHeNBとの間のダイレクトU-planeパスを設定することによって確立される。LIPAをサポートするHeNBは、全ての（every）INITIAL UE MESSAGE及び全ての（every）UPLINK NAS TRANSPORTメッセージにおいてLGWアドレスをEPC内のMobility Management Entity（MME）に送る。HeNBによって送られたLGWアドレスは、MMEによるPDN Gateway（PGW）選択のために使用される。
【０００４】
SIPTOは、HeNBだけでなくeNodeBs（eNBs）からのトラフィックオフロードも可能にする。SIPTOは、“SIPTO above RAN”アーキテクチャ及び“SIPTO at the Local Network”アーキテクチャを含む。 “SIPTO above RAN” アーキテクチャは、モバイルオペレータのコアネットワーク（EPC）に配置されたPGWを通じてのトラフィックオフロードに対応する。これに対して、“SIPTO at the Local Network”アーキテクチャは、RANに配置されたLGWを通じてのトラフィックオフロードに対応する。
【０００５】
SIPTO at the Local Network機能は、(H)eNBを介して接続されたIP capable UEに、ユーザプレーンがコアネットワーク（EPC）を経由することなく、定められた（defined）IPネットワーク（e.g., the internet）へアクセスすることを可能にする。SIPTO at the Local Networkは、(H)eNBと一体的に配置された（collocated）LGW機能を選択すること、又はローカルネットワーク内のスタンドアロンGWを選択することによって達成されることができる。“SIPTO at the Local Network with stand-alone GW”及び“SIPTO at the Local Network with L-GW collocated with the (H)eNB”のどちらの場合も、選択されたIPトラフィックはローカルネットワークを介してオフロードされる。なお、ローカルネットワークは、ローカル・ホーム・ネットワーク（Local Home Network（LHN））と同義である。ローカル・ホーム・ネットワークは、LGW及び当該LGWによってIP接続性（connectivity）を提供される少なくとも１つの(H)eNBにより構成されるネットワークである。
【０００６】
SIPTO at the Local Network with stand-alone GWでは、スタンドアロンGWは、複数の(H)eNBsにIP接続性を提供するために使用されることができる。スタンドアロンGWは、ローカルネットワークに配置され、Serving GW（SGW）の機能（functionality）及びLGWの機能（functionality）の両方を含む。SIPTO at the Local Network with stand-alone GWをサポートする(H)eNBは、全ての（every）INITIAL UE MESSAGE及び全ての（every）UPLINK NAS TRANSPORTメッセージにおいてLocal Home Network（LHN） IDをEPC内のMobility Management Entity（MME）に送る。(H)eNBによって送られたLHN IDは、MMEによるPGW選択及びSGW選択のために使用される。
【０００７】
SIPTO at the Local Network with L-GW collocated with the (H)eNBでは、LGWは、当該LGW と一体的に配置された(H)eNBにIP接続性を提供するために使用されることができる。SIPTO at the Local Network with L-GW collocated with the (H)eNBをサポートする(H)eNBは、全ての（every）INITIAL UE MESSAGE及び全ての（every）UPLINK NAS TRANSPORTメッセージにおいてLGWアドレスをEPC内のMMEに送る。LIPAのケースと同様に、(H)eNBによって送られたLGWアドレスは、MMEによるPGW選択のために使用される。
【０００８】
なお、LIPA及びSIPTO at the Local Networkでは、LGWとPolicy and Charging Rule Function（PCRF）との間のインタフェースは規定されていない。したがって、LIPA及びSIPTO at the Local Networkに使用されるPDNコネクションに対しポリシー制御を行う事ができないことにより、個別ベアラ（dedicated bearers）を用いたデータ通信はサポートされていない。また、LIPA及びSIPTO at the Local Networkでは、LGWとOnline Charging System（OCS）との間、及びLGWとOffline Charging System（OFCS）との間のインタフェースは規定されていない。したがって、LIPA及びSIPTO at the Local Networkで行われた通信サービスに対する課金制御はサポートされていない。
【０００９】
続いて、3GPPで標準化に向けて議論されているコアネットワークノード（i.e., EPC nodes）のC/U分離（split又はseparation）について説明する。非特許文献２は、U-plane機能を持つEPCノード（i.e., SGW、PDN GW (PGW)、及びTraffic Detection Function (TDF)）のU-plane機能がこれらのコントロールプレーン（C-plane）機能から分離されることを記載している。
【先行技術文献】
【非特許文献】
【００１０】
【非特許文献１】3GPP TS 23.401 V13.7.0 (2016-06), “3rd Generation Partnership Project; Technical Specification Group Services and System Aspects; General Packet Radio Service (GPRS) enhancements for Evolved Universal Terrestrial Radio Access Network (E-UTRAN) access (Release 13)”, 2016年6月
【非特許文献２】3GPP TR 23.714 V14.0.0 (2016-06), “3rd Generation Partnership Project; Technical Specification Group Services and System Aspects; Study on control and user plane separation of EPC nodes (Release 14)”, 2016年6月
【発明の概要】
【発明が解決しようとする課題】
【００１１】
上述したように、既存のLIPA及びSIPTO at the Local Networkでは、LGWがPCRFとのインタフェースを有していない。LGWは、ポリシー及び課金の制御（Policy and Charging Control（PCC））に関するその他のエンティティ（i.e., OCS及びOFCS）とのインタフェースも有していない。このようなアーキテクチャは、モバイルオペレータがRANでオフロードされるトラフィックに対するQuality of Service（QoS）保証及び課金制御を行うことを難しくする。
【００１２】
本件発明者等は、新たなネットワーク・アーキテクチャ及び新たな通信サービスニーズの登場によって、LIPA及びSIPTO at the Local Networkを含むRANでのトラフィックオフローディングの場合にも、QoS保証若しくは課金制御又はこれら両方が将来的に必要とされる可能性があることに着目した。新たなネットワーク・アーキテクチャは、例えば、Mobile Edge Computing（MEC）である。
【００１３】
European Telecommunications Standards Institute（ETSI）は、MECの標準化を開始している。MECは、アプリケーション開発者（application developers）及びコンテンツプロバイダに対して、モバイル加入者（mobile subscribers）に近接したRAN内でのクラウド・コンピューティング能力（capabilities）及びinformation technology（IT）サービス環境を提供する。この環境は、超低遅延（ultra-low latency）及び高帯域幅（high bandwidth）に加えて、アプリケーション及びサービスによって活用される（leveraged）ことができる無線ネットワーク情報（加入者位置、セル負荷など）への直接アクセスを提供する。MECサーバは、RANノードと統合して配置される。具体的には、MECサーバは、Long Term Evolution（LTE）基地局（i.e., eNodeB）サイト、3G Radio Network Controller（RNC）サイト、又はmulti-technologyセル集約（cell aggregation）サイトに配置されることができる。
【００１４】
現在、MECは、Vehicle-to-Everything（V2X）サービスに適用されることが検討されている。V2Xは、Vehicle-to-Vehicle（V2V）通信、Vehicle-to-Infrastructure（V2I）通信、Vehicle-to-network（V2N）通信、及びVehicle-to-Pedestrian（V2P）通信を含む。V2Xの多様なユースケースは、安全に関係する（safety-ralated）多くのユースケース、あるいは遅延に敏感な（latency-sensitive）多くのユースケースを含む。したがって、V2XサービスのためのMECに関するトラフィックをRANでオフロードするためにLIPA及びSIPTO at the Local Network等のオフロード技術が使用される場合、QoS保証されたデータ伝送が必要とされる。
【００１５】
しかしながら、RANに配置されるLGWがPCRF等のPCCエンティティとのインタフェースを持つことは、LGWの負荷を過度に増やすおそれがあるかもしれない。例えば、Gx及びGyインタフェースは、Diameterプロトコルを使う。Diameterプロトコルは、ステートフル（stateful）プロトコルであり、Stream Control Transmission Protocol（SCTP）又はTransmission Control Protocol（TCP）上で動作し、２つのノードが定期的にメッセージ（Device-Watchdog-Request及びDevice-Watchdog-Answer）を交換することを要求する。したがって、LGWがGxインタフェース若しくはGyインタフェース又はこれら両方を持つことは、LGWの負荷を過度に増やすかもしれない。
【００１６】
したがって、本明細書に開示される実施形態が達成しようとする目的の１つは、LGWの負荷を過度に増やさずに、PCCルールをLGWに適用することを可能にすることに寄与する幾つかの改良を提供することである。なお、この目的は、本明細書に開示される複数の実施形態が達成しようとする複数の目的の１つに過ぎないことに留意されるべきである。その他の目的又は課題と新規な特徴は、本明細書の記述又は添付図面から明らかにされる。
【課題を解決するための手段】
【００１７】
一態様では、無線通信ネットワークは、コアネットワークに配置される第１のコントロールプレーン・ノード、及び基地局を含む無線アクセスネットワーク（Radio Access Network（RAN））内に配置されるローカル・ゲートウェイを含む。前記第１のコントロールプレーン・ノードは、パケット・データ・ネットワーク（Packet Data Network（PDN））ゲートウェイのコントロールプレーンを備える。さらに、前記第１のコントロールプレーン・ノードは、ポリシー及び課金の制御（Policy and Charging Control（PCC））に関する複数のPCCエンティティのうち少なくとも１つとの第１のコントロールプレーン・インタフェースを提供するよう構成される。前記ローカル・ゲートウェイは、PDNゲートウェイのユーザプレーンを備え、特定タイプのトラフィックをオフロードするために前記基地局にインターネットプロトコル（IP）接続性を提供するよう構成される。さらに、前記ローカル・ゲートウェイは、前記第１のコントロールプレーン・ノードとの第２のコントロールプレーン・インタフェースを提供するよう構成される。
【００１８】
一態様では、コアネットワークに配置されるモビリティ管理エンティティは、少なくとも１つのメモリと、前記少なくとも１つのメモリに結合された少なくとも１つのプロセッサとを含む。前記少なくとも１つのプロセッサは、ローカル・ゲートウェイによってオフロードされる特定タイプのトラフィックのためのセッション確立手順において、パケット・データ・ネットワーク（Packet Data Network（PDN））ゲートウェイ選択を行うよう構成される。前記ローカル・ゲートウェイは、基地局を含む無線アクセスネットワーク（Radio Access Network（RAN））内に配置され、PDNゲートウェイのユーザプレーンを備え、特定タイプのトラフィックをオフロードするために前記基地局にインターネットプロトコル（IP）接続性を提供するよう構成される。前記PDNゲートウェイ選択は、前記ローカル・ゲートウェイが前記特定タイプのトラフィックに関連付けられたAccess Point Name（APN）に関してPDNゲートウェイのコントロールプレーン及びユーザプレーン分離を適用される場合に、前記コアネットワークに配置され且つPDNゲートウェイのコントロールプレーンを備える第１のコントロールプレーン・ノードを選択することを含む。
【００１９】
一態様では、コアネットワークに配置されるモビリティ管理エンティティにおける方法は、ローカル・ゲートウェイによってオフロードされる特定タイプのトラフィックのためのセッション確立手順において、パケット・データ・ネットワーク（Packet Data Network（PDN））ゲートウェイ選択を行うことを含む。前記ローカル・ゲートウェイは、基地局を含む無線アクセスネットワーク（Radio Access Network（RAN））内に配置され、PDNゲートウェイのユーザプレーンを備え、特定タイプのトラフィックをオフロードするために前記基地局にインターネットプロトコル（IP）接続性を提供するよう構成される。前記PDNゲートウェイ選択は、前記ローカル・ゲートウェイが前記特定タイプのトラフィックに関連付けられたAccess Point Name（APN）に関してPDNゲートウェイのコントロールプレーン及びユーザプレーン分離を適用される場合に、前記コアネットワークに配置され且つPDNゲートウェイのコントロールプレーンを備える第１のコントロールプレーン・ノードを選択することを含む。
【００２０】
一態様では、基地局を含む無線アクセスネットワーク（Radio Access Network（RAN））内に配置されるローカル・ゲートウェイは、少なくとも１つのメモリと、前記少なくとも１つのメモリに結合された少なくとも１つのプロセッサとを含む。前記少なくとも１つのプロセッサは、外部パケットネットワーク（Packet Data Network（PDN））との間のPDNゲートウェイのユーザプレーンを提供するよう構成される。さらに、前記少なくとも１つのプロセッサは、特定タイプのトラフィックをオフロードするために前記基地局にインターネットプロトコル（IP）接続性を提供するよう構成される。さらにまた、前記少なくとも１つのプロセッサは、コアネットワークに配置されたコントロールプレーン・ノードとのコントロールプレーン・インタフェースを提供するよう構成される。ここで、前記コントロールプレーン・ノードは、PDNゲートウェイのコントロールプレーンを備え、且つポリシー及び課金の制御（Policy and Charging Control（PCC））に関する複数のPCCエンティティのうち少なくとも１つとのコントロールプレーン・インタフェースを備える。
【００２１】
一態様では、基地局を含む無線アクセスネットワーク（Radio Access Network（RAN））内に配置されるローカル・ゲートウェイの方法は、
（ａ）外部パケットネットワーク（Packet Data Network（PDN））とのPDNゲートウェイのユーザプレーンを提供すること；
（ｂ）特定タイプのトラフィックをオフロードするために前記基地局にインターネットプロトコル（IP）接続性を提供すること；及び
（ｃ）コアネットワークに配置されたコントロールプレーン・ノードとのコントロールプレーン・インタフェースを提供すること、ここで、前記コントロールプレーン・ノードは、PDNゲートウェイのコントロールプレーンを備え、且つポリシー及び課金の制御（Policy and Charging Control（PCC））に関する複数のPCCエンティティのうち少なくとも１つとのコントロールプレーン・インタフェースを備える；
を含む。
【００２２】
一態様では、コアネットワークに配置されるコントロールプレーン・ノードは、少なくとも１つのメモリと、前記少なくとも１つのメモリに結合された少なくとも１つのプロセッサとを含む。前記少なくとも１つのプロセッサは、外部パケットネットワーク（Packet Data Network（PDN））ゲートウェイのコントロールプレーンを提供するよう構成される。さらに、前記少なくとも１つのプロセッサは、ポリシー及び課金の制御（Policy and Charging Control（PCC））に関する複数のPCCエンティティのうち少なくとも１つとの第１のコントロールプレーン・インタフェースを提供するよう構成される。さらにまた、前記少なくとも１つのプロセッサは、基地局を含む無線アクセスネットワーク（Radio Access Network（RAN））内に配置されたローカル・ゲートウェイとのコントロールプレーン・インタフェースを提供するよう構成される。ここで、前記ローカル・ゲートウェイは、PDNゲートウェイのユーザプレーンを備え、特定タイプのトラフィックをオフロードするために前記基地局にインターネットプロトコル（IP）接続性を提供する。
【００２３】
一態様では、コアネットワークに配置されるコントロールプレーン・ノードにおける方法は、
（ａ）外部パケットネットワーク（Packet Data Network（PDN））ゲートウェイのコントロールプレーンを提供すること；
（ｂ）ポリシー及び課金の制御（Policy and Charging Control（PCC））に関する複数のPCCエンティティのうち少なくとも１つとの第１のコントロールプレーン・インタフェースを提供すること；及び
（ｃ）基地局を含む無線アクセスネットワーク（Radio Access Network（RAN））内に配置されたローカル・ゲートウェイとのコントロールプレーン・インタフェースを提供すること、ここで、前記ローカル・ゲートウェイは、PDNゲートウェイのユーザプレーンを備え、特定タイプのトラフィックをオフロードするために前記基地局にインターネットプロトコル（IP）接続性を提供する；
を含む。
【００２４】
一態様では、プログラムは、コンピュータに読み込まれた場合に、上述の複数の態様に係る方法のいずれかをコンピュータに行わせるための命令群（ソフトウェアコード）を含む。
【発明の効果】
【００２５】
上述の態様によれば、LGWの負荷を過度に増やさずに、PCCルールをLGWに適用することを可能にすることに寄与する装置、方法、及びプログラムを提供できる。
【図面の簡単な説明】
【００２６】
【図１】第１の実施形態に係る無線通信ネットワークの構成例を示す図である。
【図２】第２の実施形態に係る無線通信ネットワークの構成例を示す図である。
【図３】第３の実施形態に係るMMEの動作の一例を示すフローチャートである。
【図４】第４の実施形態に係るMMEの動作の一例を示すフローチャートである。
【図５】第４の実施形態に係るLGW（スタンドアロンGW）の動作の一例を示すフローチャートである。
【図６】第４の実施形態に係るPGW-Cの動作の一例を示すフローチャートである。
【図７】第５の実施形態に係るMMEの動作の一例を示すフローチャートである。
【図８】第５の実施形態に係るSGW（又はSGW-C）の動作の一例を示すフローチャートである。
【図９】第５の実施形態に係るPGW-Cの動作の一例を示すフローチャートである。
【図１０】第６の実施形態に係るMMEの動作の一例を示すフローチャートである。
【図１１】第７の実施形態に係るMMEの動作の一例を示すフローチャートである。
【図１２】第８の実施形態に係るシグナリング手順の一例を示すシーケンス図である。
【図１３】第９の実施形態に係るシグナリング手順の一例を示すシーケンス図である。
【図１４】幾つかの実施形態に係るネットワークノードの構成例を示すブロック図である。
【発明を実施するための形態】
【００２７】
以下では、具体的な実施形態について、図面を参照しながら詳細に説明する。各図面において、同一又は対応する要素には同一の符号が付されており、説明の明確化のため、必要に応じて重複説明は省略される。
【００２８】
以下に説明される複数の実施形態は、本件発明者等によりRANでのトラフィックオフロードに関する幾つかの改良の例示を提供する。これらの改良は、ネットワーク・アーキテクチャの改良、ネットワークノード機能（e.g., MMEによるPGW選択）の改良、並びにアタッチ手順（Attach procedure）及びPDNコネクション追加手順（UE Requested additional PDN connectivity procedure）の改良を含む。
【００２９】
以下に説明される複数の実施形態は、独立に実施されることもできるし、適宜組み合わせて実施されることもできる。これら複数の実施形態は、互いに異なる新規な特徴を有している。したがって、これら複数の実施形態は、互いに異なる目的又は課題を解決することに寄与し、互いに異なる効果を奏することに寄与する。
【００３０】
＜第１の実施形態＞
図１は、本実施形態に係る無線通信ネットワークの構成例を示している。本実施形態は、SIPTO at the Local Network with stand-alone GWアーキテクチャの改良を提供する。図１の例では、RAN１０は、(H)eNB１１及びスタンドアロンGW１２を含む。(H)eNB１１は、eNB（e.g., マクロeNB、ピコeNB）又はHeNBである。(H)eNB１１は、少なくとも１つのUE１と通信する。各UE１は、IP capable UEである。スタンドアロンGW１２は、特定タイプのトラフィックをオフロードするために(H)eNB１１にインターネットプロトコル（IP）接続性を提供する。すなわち、スタンドアロンGW１２を用いたSIPTOは、(H)eNB１１を介して接続されたUE１に、ユーザプレーンがEPC２０を経由することなく、定められた（defined）IPネットワーク５０（e.g., the internet）へアクセスすることを可能にする。
【００３１】
具体的には、スタンドアロンGW１２は、ローカルSGW１３及びLGW１４を含む。ローカルSGW１３は、RANに配置され、RAN１０とコアネットワークとの間のパケット転送ゲートウェイ（i.e., SGW）の機能を有する。なお、ローカルSGW１３は、SGWのU-plane機能（SGW-U）を有し、SGWのC-plane（SGW-C）を有していなくてもよい。言い換えると、ローカルSGW１３は、C/U分離が適用されてもよい。この場合、SGW-Cは、EPC２０に配置されてもよい。更にSGW-Cは、PGW-C２４とコロケーションされるように配置されてもよい。
【００３２】
ローカルSGW１３は、IPネットワーク５０にオフロードされる特定のトラフィックのためだけでなく、EPC２０を介してPDN４０に送信及びPDN４０から受信されるトラフィックのために選択されてもよい。この場合、図１に示されるように、ローカルSGW１３は、EPC２０内のPGW２３との（C-plane及びU-planeを含む）S5インタフェース（又は参照点）を提供してもよい。
【００３３】
LGW１４は、PGWのU-plane機能（PGW-U）を提供するよう構成されている。さらに、LGW１４は、EPC２０に配置されたPGW-C２４とのC-planeインタフェースを提供するよう構成されている。当該C-planeインタフェースは、Sxbインタフェース（又は参照点）と呼ばれてもよい。
【００３４】
なお、LGW１４は、PGWのC-plane機能（PGW-C）を提供できるよう構成されてもよい。例えば、LGW１４は、あるAPNに関してC/U分離が適用され、他のAPNに関してC/U分離が適用されなくてもよい。言い換えると、あるAPNに関しては、LGW１４が提供するPGW-UとEPC２０内のPGW-C（e.g., 後述されるPGW-C２４）がEPC２０によって選択されてもよい。一方、他のAPNに関しては、LGW１４が提供するPGW-U及びPGW-CがEPC２０によって選択されてもよい。
【００３５】
図１の例では、EPC２０は、MME２１、Home Subscriber Server（HSS）２２、PGW２３、PGW-C２４を含む。さらに、EPC２０は、PCCのための複数のエンティティ、すなわちPCRF２５、OCS２６、及びOFCS２７を含む。PCRF２５は、Application Function（AF）３０とRfインタフェース上で通信してもよい。なお、EPC２０は、PCRF２５、OCS２６、及びOFCS２７のうち一部のみを有してもよい。例えば、オフライン・チャージングが利用されない場合、OFCS２７は省略されてもよい。あるいは、オンライン・チャージングが利用されない場合、OCS２６は省略されてもよい。
【００３６】
PGW-C２４は、PGWのC-plane機能を提供するよう構成されている。PGW-C２４は、IPネットワーク５０にオフロードされるトラフィックの１又は複数のAPNsに関してLGW１４がC/U分離を適用される場合に、MME２１によって選択される。PGW-C２４は、RAN１０内のLGW１４（PGW-U）とのSxbインタフェースを提供する。さらに、PGW-C２４は、PCRF２５とのGxインタフェース、OCS２６とのGyインタフェース、若しくはOFCS２７とのGzインタフェース、又はこれらのうち任意の組合せを提供する。
【００３７】
すなわち、図１に示された構成では、IPネットワーク５０にオフロードされるトラフィックの１又は複数のAPNsに関してLGW１４がC/U分離を適用される場合に、LGW１４はPGW-U機能を提供し、PGW-C２４はEPC２０に配置される。言い換えると、EPC２０内のPGW-C２４がC/U分離されたL-GW１４のために選択される。EPC２０内のPGW-C２４は、Sxbインタフェース上でRAN１０内のLGW１４（スタンドアロンGW）１２と通信し、Gx、Gy、又はGzインタフェース上で１又は複数のPCCエンティティと通信する。これにより、PCC機能がスタンドアロンGW１２に配置されたLGW１４（i.e., PGW-U）とともに動作（連携、works with）する。すなわち、PGW-C２４は、IPネットワーク５０にオフロードされるトラフィックにPCCルールを適用することを可能にする。PCCルールは、例えば、IPネットワーク５０にオフロードされるUE１のサービスデータフロー（Service Data Flow（SDF））に適用されるべきQoSポリシー、課金ルール、及びサービスデータフローを検出するためのSDFテンプレートを含む。
【００３８】
幾つかの実装において、PGW-C２４は、PCRF２５からPCCルールを受信し、当該PCCルールをSxbインタフェースを介してLGW１４（i.e., PGW-U）に知らせてもよく、LGW１４（i.e., PGW-U）は、Policy and Charging Enforcement Function（PCEF）として動作してもよい。PCEFとしてのLGW１４（i.e., PGW-U）は、PGW-C２４を介してPCRF２５から供給されたPCCルールに従って、IPネットワーク５０にオフロードされるUE１のサービスデータフロー（つまり、IPパケットフロー）単位でのQoS制御およびフローベースのベアラ課金（Flow Based bearer Charging（FBC））を行ってもよい。具体的には、LGW１４（i.e., PGW-U）は、IPネットワーク５０にオフロードされるUE１の複数のサービスデータフローを区別するともに、各サービスデータフローを各サービスデータフローのQoSに対応したEvolved Packet System（EPS）ベアラ（i.e., IP Connectivity Access Network（IP-CAN）ベアラ）にマッピングしてもよい。さらに、LGW１４（i.e., PGW-U）は、Charging Data Record（CDR）の生成及びクローズをトリガーする課金対象イベント（chargeable event）としてサービスデータフローを監視し、サービスデータフローのパケット数をカウントしてもよい。サービスデータフローに関する課金情報を含むCDRの生成は、LGW１４（i.e., PGW-U）によって行われてもよいし、PGW-C２４によって行われてもよい。ここでLGW１４が行う動作は、スタンドアロンGW１２によって行われてもよい。IPネットワーク５０で提供されるサービスは、V2Xアプリケーションサーバにより提供されるV2Xサービス、あるいはMECサーバにより提供されるサービスであってもよい。またUE１のサービスデータフローは、UE1から送信されるV2Xメッセージに関するものであってもよい。
【００３９】
以上の説明から理解されるように、本実施形態に係る改良されたSIPTO at the Local Network with stand-alone GWアーキテクチャは、オフロードされるトラフィックのためのP-GWがC/U分離され、PGW-U（又はLGW-U）がRAN１０に配置され、PGW-C（又はLGW-C）がEPC２０に配置された構成を採用する。言い換えると、スタンドアロンGW１２におけるPGW部分（part）がPGW-CとPGW-Uとに分離され、PGW-C部分のみがEPCに配置されてPGW-U部分がRAN１０におけるスタンドアロンGW１２に残る。さらに、スタンドアロンGW１２のPGW-C部分（i.e., PGW-C２４）は、１又は複数のPCCエンティティ（e.g., PCRF２５、OCS２６、及びOFCS２７）とのインタフェースを有し、PCC機能はスタンドアロンGW１２に配置されたPGW-U（i.e., LGW１４）とともに動作する。これにより、本実施形態に係るネットワーク・アーキテクチャは、RAN１０でオフロードされるUE１のトラフィックに対するPCCを可能にする。
【００４０】
なお、PGW-C２４とPCRF２５との間のGxインタフェースは、Diameterプロトコルであるのに対して、PGW-C２４とLGW１４（i.e., PGW-U）との間のSxbインタフェースは、GPRS Tunnelling Protocol (GTP) for the control plane（GTP-C）プロトコルでもよいことに留意されるべきである。上述のように、Diameterプロトコルは、SCTP又はTCP上で動作するステートフル・プロトコルである。これに対して、GTP-Cは、User Datagram Protocol（UDP）上で動作するコネクションレス（connectionless）プロトコルである。したがって、GTP-Cプロトコルは、一般的に、Diameterプロトコルに比べて通信量が少なく通信頻度が小さい。したがって、本実施形態に係るSIPTO at the Local Network with stand-alone GWネットワーク・アーキテクチャは、RAN１０に配置されるPGW-U（LGW１４）の処理量を過度に増やさずに、PCCルールをLGW１４に適用することを可能にすることに寄与できる。
【００４１】
＜第２の実施形態＞
図２は、本実施形態に係る無線通信ネットワークの構成例を示している。本実施形態は、SIPTO at the Local Network with L-GW collocated with the (H)eNBアーキテクチャの改良を提供する。図２の例では、RAN１０は、(H)eNB１１及びLGW１４を含む。LGW１４は、(H)eNB１１と一体的に配置されている（collocated）。
【００４２】
第１の実施形態と同様に、LGW１４は、PGW-Uを提供するとともに、EPC２０に配置されたPGW-C２４とのC-planeインタフェース（i.e., Sxbインタフェース）を提供するよう構成されている。LGW１４は、PGWのC-plane機能（PGW-C）を提供できるよう構成されてもよい。
【００４３】
図２に示されたEPC２０は、図１に示されたEPC２０と同様のネットワークエンティティ（又はネットワーク要素、ネットワークノード）を含む。SIPTO at the Local Network with L-GW collocated with the (H)eNBのために、EPC２０はSGW２８を含む。SGW２８は、IPネットワーク５０にオフロードされる特定のトラフィックために選択される。SGW２８は、EPC２０を介してPDN４０に送信及びPDN４０から受信されるトラフィックのために選択されてもよい。この場合、図２に示されるように、SGW２８は、PGW２３との（C-plane及びU-planeを含む）S5インタフェースを提供してもよい。
【００４４】
図２に示されたPGW-C２４の役割は、図１に示されたPGW-C２４のそれと同様である。すなわち、PGW-C２４は、PGWのC-plane機能を提供するよう構成されている。PGW-C２４は、IPネットワーク５０にオフロードされるトラフィックの１又は複数のAPNsに関してLGW１４がC/U分離を適用される場合に、MME２１によって選択される。PGW-C２４は、RAN１０内のLGW１４（PGW-U）とのSxbインタフェースを提供する。さらに、PGW-C２４は、PCRF２５とのGxインタフェース、OCS２６とのGyインタフェース、若しくはOFCS２７とのGzインタフェース、又はこれらのうち任意の組合せを提供する。これによって、PCC機能がLGW１４に配置されたPGW-Uとともに動作（連携、works with）する。第１の実施形態と同様に、幾つかの実装においてPGW-C２４は、PCRF２５からPCCルールを受信し、当該PCCルールをSxbインタフェースを介してLGW１４（PGW-U）に知らせてもよく、LGW１４（PGW-U）は、Policy and Charging Enforcement Function（PCEF）として動作してもよい。本実施形態においても、IPネットワーク５０で提供されるサービスは、V2Xアプリケーションサーバにより提供されるV2Xサービス、あるいはMECサーバにより提供されるサービスであってもよい。またIPネットワーク５０にオフロードされるトラフィックは、UE1から送信されるV2Xメッセージに関するものであってもよい。
【００４５】
以上の説明から理解されるように、本実施形態に係る改良されたSIPTO at the Local Network with L-GW collocated with the (H)eNBアーキテクチャは、オフロードされるトラフィックのためのP-GWがC/U分離され、PGW-U（又はLGW-U）がRAN１０に配置され、PGW-C（又はLGW-C）がEPC２０に配置された構成を採用する。言い換えると、LGW１４のPGW部分（part）がPGW-UとPGW-Cに分離され、PGW-C部分のみがEPC２０に配置されてPGW-U部分がRAN１０におけるLGW１４に残る。さらに、LGW１４のPGW-C部分（i.e., PGW-C２４）は、１又は複数のPCCエンティティ（e.g., PCRF２５、OCS２６、及びOFCS２７）とのインタフェースを有し、PCC機能はLGW１４に配置されたPGW-Uとともに動作する。したがって、本実施形態に係るSIPTO at the Local Network with L-GW collocated with the (H)eNBアーキテクチャは、第１の実施形態に係るSIPTO at the Local Network with stand-alone GWアーキテクチャと同様の効果を奏することができる。すなわち、本実施形態に係るSIPTO at the Local Network with L-GW collocated with the (H)eNBアーキテクチャは、RAN１０に配置されるPGW-U（LGW１４）の処理量を過度に増やさずに、PCCルールをLGW１４に適用することを可能にすることに寄与できる。
【００４６】
なお、既に説明したように、LIPAのネットワーク・アーキテクチャは、SIPTO at the Local Network with L-GW collocated with the (H)eNBのそれと同様である。したがって、本実施形態に係るネットワーク・アーキテクチャは、LIPAによるトラフィックオフロードの改良にも寄与することができる。
【００４７】
＜第３の実施形態＞
本実施形態は、第１及び第２の実施形態で説明されたSIPTO at the Local Network及びLIPAのための改良されたネットワークのために効果的なMME２１の動作を提供する。図３は、MME２１の動作の一例（処理３００）を示すフローチャートである。処理３００は、UE１からのPDNコネクション確立の要求の受信に応答したMME２１の動作を示している。UE１からのPDNコネクション確立の要求は、例えば、アタッチ要求（i.e., Non-Access Stratum (NAS): attach requestメッセージ）又は追加PDNコネクション要求（i.e., NAS PDN Connectivity Requestメッセージ）である。
【００４８】
ステップ３０１では、MME２１は、LGW１４に関連付けられた(H)eNB１１を経由してUE１からPDNコネクション確立の要求を受信する。ステップ３０２では、MME２１は、要求されたPDNコネクションに関連付けられたAPNがLIPA又はSIPTO at the Local Network を許可されている場合、当該LGW１４が当該APNに関してPGW C/U分離を適用されるか否かを判定する。
【００４９】
幾つかの実装において、MME２１は、LGW１４が特定のAPNに関してPGW C/U分離を適用されるか否かを、当該APN と(H)eNB１１から受信したLocal Home Network（LHN） IDとに基づいて判定してもよい。既に説明したように、SIPTO at the Local Network with stand-alone GWをサポートする(H)eNB１１は、S1APメッセージでLocal Home Network（LHN） IDをMME２１に送る。より具体的には、SIPTO at the Local Network with stand-alone GWをサポートする(H)eNB１１は、例えば、全ての（every）INITIAL UE MESSAGE及び全ての（every）UPLINK NAS TRANSPORTメッセージにおいてLocal Home Network（LHN） IDをMME２１に送る。MME２１は、例えば、C/U分離が許可されるAPN及びLHN IDの組合せのリストを当該判定のために使用してもよい。APN及びLHN IDの組合せのリストは、モバイルオペレータによってMME２１にlocal configurationとして設定されてもよい。
【００５０】
幾つかの実装において、MME２１は、LGW１４が特定のAPNに関してPGW C/U分離を適用されるか否かを、当該APN と(H)eNB１１から受信したLGW識別子（e.g., LGWアドレス）とに基づいて判定してもよい。既に説明したように、LIPA又はSIPTO at the Local Network with L-GW collocated with the (H)eNBをサポートする(H)eNB１１は、S1APメッセージでLGWアドレスをMME２１に送る。より具体的には、LIPA又はSIPTO at the Local Network with L-GW collocated with the (H)eNBをサポートする(H)eNB１１は、例えば、全ての（every）INITIAL UE MESSAGE及び全ての（every）UPLINK NAS TRANSPORTメッセージにおいてLGWアドレスをMME２１に送る。MME２１は、例えば、C/U分離が許可されるAPN及びLGWアドレスの組合せのリストを当該判定のために使用してもよい。APN及びLGWアドレスの組合せのリストは、モバイルオペレータによってMME２１にlocal configurationとして設定されてもよい。
【００５１】
幾つかの実装において、MME２１は、LGW１４が特定のAPNに関してPGW C/U分離を適用されるか否かを、当該APN と(H)eNB識別子（e.g., eNB ID）とに基づいて判定してもよい。MME２１は、例えば、C/U分離が許可されるAPN及び(H)eNB識別子の組合せのリストを当該判定のために使用してもよい。APN及び(H)eNB識別子の組合せのリストは、モバイルオペレータによってMME２１にlocal configurationとして設定されてもよい。また、この実装は、SIPTO at the Local Network with stand-alone GWのために、上述のLHN IDに基づく判定と合わせて使用されてもよい。
【００５２】
図３に戻り説明を続ける。当該LGW１４が当該APNに関してPGW C/U分離を適用される場合、MME２１は、ステップ３０３において、PGW選択（又はPGW-C選択）を行い、EPC２０に配置されたPGW-C２４を選択する。MME２１によるPGW選択（又はPGW-C選択）に対する改良については、以下の実施形態において詳細に説明される。一方、当該LGW１４が当該APNに関してPGW C/U分離を適用されない場合、MME２１は、既存のLIPA及びSIPTO at the Local Networkの規定に従ってPGW選択を行う。
【００５３】
以上の説明から理解されるように、本実施形態では、MME２１は、UE１によってPDNコネクション確立を要求されたAPNに関してLGW１４がPGW C/U分離を適用されるか否かを判定する。これにより、MME２１は、LGW１４がPGW C/U分離を適用されるか否かに応じて異なるPGW選択を行うことができる。すなわち、MME２１は、LIPA又はSIPTO at the Local Networkのために PGW-CをEPC２０に配置するべきか否かを判定することができる。言い換えると、MME２１は、EPC２０内のPGW-C２４をLIPA又はSIPTO at the Local Networkのために使用するか否かを判定することができる。
【００５４】
＜第４の実施形態＞
本実施形態は、第１の実施形態で説明されたSIPTO at the Local Network with stand-alone GWのための改良されたネットワークのために効果的なMME２１、SGW（又はSGW-C）、及びPGW-C２４の動作を提供する。
【００５５】
図４は、MME２１の動作の一例（処理４００）を示すフローチャートである。処理４００は、UE１からのPDNコネクション確立の要求（e.g., attach request、又はPDN Connectivity Request）の受信に応答したMME２１の動作を示している。
【００５６】
ステップ４０１では、MME２１は、SIPTO at the Local Network with stand-alone GWをサポートする(H)eNB１１を経由して、UE１からPDNコネクションの要求を受信する。ステップ４０２では、MME２１は、要求されたPDNコネクションに関連付けられたAPNがSIPTO at the Local Networkを許可されている場合、当該Local Home Network（LHN）のスタンドアロンGW１２（又はLGW１４）が当該APNに関してPGW C/U分離を適用されるか否かを判定する。ステップ４０２の判定は、図３のステップ３０２の判定と同様に行われてもよい。
【００５７】
スタンドアロンGW１２（又はLGW１４）が当該APNに関してPGW C/U分離を適用されない場合、MME２１は、既存のSIPTO at the Local Network with stand-alone GWの規定に従ってPGW選択を行う。すなわち、MME２１は、当該APN及び(H)eNB１１から供給されたLHN IDの両方を用いてPGW選択のためのDomain Name System（DNS）問合せ（interrogation）を行う。当該DNS問合せによって、MME２１は、例えば、スタンドアロンGW１２（又はLGW１４）のアドレスをDNSサーバから受信する。
【００５８】
これに対して、スタンドアロンGW１２（又はLGW１４）が当該APNに関してPGW C/U分離を適用される場合、MME２１は、(H)eNB１１から供給されたLHN IDを用いずにAPNを用いてDNS問合せを行う（ステップ４０３）。当該DNS問合せによって、MME２１は、EPC２０内のPGW-C２４のアドレスをDNSサーバから受信する。
【００５９】
ステップ４０４では、MME２１は、SGW選択を行う。MME２１は、既存のSIPTO at the Local Network with stand-alone GWのためのSGW選択の規定に従ってもよい。すなわち、MME２１は、(H)eNB１１から供給されたLHN ID内のLHN nameに基づいてSGWを選択してもよい。より具体的に述べると、MME２１は、(H)eNB１１から供給されたLHN ID（又はLHN name）を用いたDNS問合せを行い、スタンドアロンGW１２に配置されたローカルSGW１３のアドレスを受信してもよい。これにより、MME２１は、スタンドアロンGW１２に配置されたローカルSGW１３を選択する。
【００６０】
なお、既に説明したように、ローカルSGW１３は、C/U分離が適用されてもよい。この場合、MME２１は、EPC２０に配置されたSGW-C（不図示）を選択するために、既存のSGW選択とは異なるSGW選択（i.e., SGW-C選択）を行ってもよい。この改良されたSGW選択（i.e., SGW-C選択）は、例えば、上述したEPC２０内のPGW-Cを選択するためのPGW選択動作と同様であってもよい。すなわち、MME２１は、(H)eNB１１から供給されたLHN ID（又はLHN name）を用いずにAPNを用いてDNS問合せを行なってもよい。
【００６１】
ステップ４０５では、MME２１は、選択されたSGWにCreate Session Requestメッセージを送る。ステップ４０５は、SIPTO at the Local Network with stand-alone GWのためにEPC２０内のPGW-C２４が選択された場合（ステップ４０３）に行われる動作を示している。すなわち、MME２１は、(H)eNB１１から受信したLHN ID をCreate Session Requestメッセージに含める。したがって、ステップ４０５のCreate Session Requestメッセージは、APN、PGW-Cアドレス（i.e., PGW-C２４のアドレス）、及び(H)eNB１１から受信したLHN IDを包含する。後述するように、Create Session Requestメッセージに包含されたLHN IDは、PGW-C２４によるPGW-U選択のために使用される。
【００６２】
図５は、MME２１によって選択されたSGWの動作の一例（処理５００）を示すフローチャートである。図４に関して説明したように、選択されたSGWは、ローカルSGW１３であってもよいし、EPC２０内のSGW-C（不図示）であってもよい。ステップ５０１では、選択されたSGWは、APN、PGWアドレス（i.e., PGW-Cアドレス）、及びLHN IDを包含するCreate Session RequestメッセージをMME２１から受信する。ステップ５０２では、当該SGWは、Create Session Requestメッセージの受信に応答して、EPSベアラテーブルに新たなエントリを作成する。ステップ５０３では、当該SGWは、APN及びLHN IDを包含するCreate Session Requestメッセージを、受信したPGW-Cアドレスにより示されるPGW-C２４に送る。
【００６３】
図６は、PGW-C２４の動作の一例（処理６００）を示すフローチャートである。ステップ６０１では、PGW-C２４は、APN及びLHN IDを包含するCreate Session RequestメッセージをSGWから受信する。
【００６４】
ステップ６０２では、PGW-C２４は、PGW-U選択を行う。すなわち、SIPTO at the Local Network with stand-alone GWのための適切なゲートウェイを選択するために、PGW-C２４におけるPGW-U選択機能は、PGW-Uの識別子（identity）を見つけるために、DNS問合せにおいてAPN及びLHN IDを用いる。具体的には、PGW-C２４は、Create Session RequestメッセージがLHN IDを含む場合に、受信したAPN及びLHN IDを用いてDNS問合せを行い、PGW-UアドレスをDNSサーバから受信する。当該PGW-Uアドレスは、LGW１４（スタンドアロンGW１２）のアドレスを示す。これにより、PGW-C２４は、PGW-U選択において、RAN１０内のLGW１４を選択する。また、PGW-C２４は、Local configurationによってRAN１０内のLGW１４を選択してもかまわない。
【００６５】
ステップ６０３では、PGW-C２４は、PGW-Uとして選択されたLGW１４にSession Establishment Requestメッセージを送る。当該Session Establishment Requestメッセージは、RAN１０でオフロードされるトラフィックに関するセッションの生成をLGW１４に要求する。
【００６６】
以上の説明から理解されるように、本実施形態では、MME２１は、LGW１４がPGW C/U分離を適用される場合に、PGW-C選択のために、(H)eNB１１から受信したLHN IDを用いずにAPNを用いてDNS問合せを行う。これにより、MME２１は、LGW１４がPGW C/U分離を適用される場合に、RAN１０内のLGW１４の代わりに、EPC２０内のPGW-C２４を選択することが可能になる。
【００６７】
また、本実施形態では、MME２１は、LGW１４がPGW C/U分離を適用される場合に、RAN１０でオフロードされるトラフィックに関するセッションの生成をトリガーするためのCreate Session Requestメッセージに、(H)eNB１１から受信したLHN IDを含める。したがって、MME２１は、LGW１４のPGW C/U分離を可能にするためのPGW-C２４によるPGW-U選択を支援（assist）することができる。
【００６８】
また、本実施形態では、MME２１によって選択されたSGW（又はSGW-C）は、MME２１から受信したCreate Session RequestメッセージがLHN IDを包含する場合に、当該LHN IDを包含するCreate Session Requestメッセージを生成してこれをPGW-C２４に送る。したがって、当該SGWは、LGW１４のPGW C/U分離を可能にするためのPGW-C２４によるPGW-U選択を支援（assist）することができる。
【００６９】
また、本実施形態では、PGW-C２４は、Create Session RequestメッセージがLHN IDを包含する場合に、受信したAPN及びLHN IDを用いてDNS問合せを行う。したがって、PGW-C２４は、LGW１４のPGW C/U分離に対応したPGW-C選択を実現できる。
【００７０】
＜第５の実施形態＞
本実施形態は、第１の実施形態で説明されたSIPTO at the Local Network with stand-alone GWのための改良されたネットワークのために効果的なMME２１、SGW（又はSGW-C）、及びPGW-C２４の動作を提供する。上述の第４の実施形態では、PGW-U選択機能がPGW-C２４に配置される例を示した。これに代えて、PGW-U選択機能は、MME２１に配置されてもよい。あるいは、本実施形態では、MME２１がPGW-U選択（i.e., PGW-Uアドレスの取得）を行う例が説明される。
【００７１】
図７は、MME２１の動作の一例（処理７００）を示すフローチャートである。処理７００は、UE１からのPDNコネクション確立の要求（e.g., attach request、又はPDN Connectivity Request）の受信に応答したMME２１の動作を示している。ステップ７０１及び７０２の処理は、図４のステップ４０１及び４０２の処理と同様である。
【００７２】
ステップ７０３では、スタンドアロンGW１２（又はLGW１４）が当該APNに関してPGW C/U分離を適用される場合、MME２１は、PGW-U選択およびPGW-C選択を行う。すなわち、MME２１は、PGW-U選択のために、APN及び(H)eNB１１から供給されたLHN IDを用いた第１のDNS問合せを行う。当該第１のDNS問合せにより、MME２１は、PGW-Uアドレス（i.e., スタンドアロンGW１２又はLGW１４のアドレス）をDNSサーバから受信する。さらに、MME２１は、PGW-C選択のために、LHN ID を用いずにAPNを用いた第２のDNS問合せを行う。当該第２のDNS問合せにより、MME２１は、PGW-Cアドレス（i.e., PGW-C２４のアドレス）をDNSサーバから受信する。なお、第１及び第２のDNS問合せの実行順序は特に限定されない。第１のDNS問合せは、第２のDNS問合せの前に行われてもよいし、第２のDNS問合せの後に行われてもよいし、第２のDNS問合せと同時に（並行して）行われてもよい。
【００７３】
ステップ７０４では、MME２１は、SGW選択を行う。ステップ７０４の処理は、図４のステップ４０４の処理と同様である。ステップ７０５では、MME２１は、選択されたSGWにCreate Session Requestメッセージを送る。ステップ７０５は、SIPTO at the Local Network with stand-alone GWのためにEPC２０内のPGW-C２４が選択された場合（ステップ７０３）に行われる動作を示している。すなわち、MME２１は、PGW-Cアドレス（i.e., PGW-C２４のアドレス）及びPGW-Uアドレス（i.e., スタンドアロンGW１２又はLGW１４のアドレス）の両方をCreate Session Requestメッセージに含める。
【００７４】
なお、スタンドアロンGW１２（又はLGW１４）が当該APNに関してPGW C/U分離を適用されない場合、MME２１は、既存のSIPTO at the Local Network with stand-alone GWのケースと同様に動作すればよい。すなわち、MME２１は、PGWアドレスとしてのLGW１４（又はスタンドアロンGW１２）のアドレスをCreate Session Requestメッセージに含める。
【００７５】
図８は、MME２１によって選択されたSGWの動作の一例（処理８００）を示すフローチャートである。選択されたSGWは、ローカルSGW１３であってもよいし、EPC２０内のSGW-C（不図示）であってもよい。ステップ８０１では、選択されたSGWは、APN、PGW-Cアドレス、及びPGW-Uアドレスを包含するCreate Session RequestメッセージをMME２１から受信する。ステップ８０２では、当該SGWは、Create Session Requestメッセージの受信に応答して、EPSベアラテーブルに新たなエントリを作成する。ステップ８０３では、当該SGWは、APN及びPGW-Uアドレスを包含するCreate Session Requestメッセージを、受信したPGW-Cアドレスにより示されるPGW-C２４に送る。
【００７６】
図９は、PGW-C２４の動作の一例（処理９００）を示すフローチャートである。ステップ９０１では、PGW-C２４は、APN及びPGW-Uアドレスを包含するCreate Session RequestメッセージをSGWから受信する。ステップ９０２では、PGW-C２４は、受信したPGW-Uアドレスに基づいてPGW-Uを選択する。これにより、PGW-C２４は、RAN内のLGW１４をPGW-Uとして選択する。ステップ９０３では、、PGW-C２４は、PGW-Uとして選択されたLGW１４にSession Establishment Requestメッセージを送る。当該Session Establishment Requestメッセージは、RAN１０でオフロードされるトラフィックに関するセッションの生成をLGW１４に要求する。
【００７７】
以上の説明から理解されるように、本実施形態では、MME２１は、スタンドアロンGW１２（LGW１４）がPGW C/U分離を適用される場合に、 (H)eNB１１から受信したLHN IDを用いずにAPNを用いたPGW-C選択のためのDNS問合せと、(H)eNB１１から受信したLHN ID及びAPNを用いたPGW-U選択のためのDNS問合せと、を行う。これにより、MME２１は、スタンドアロンGW１２（LGW１４）がPGW C/U分離を適用される場合に、EPC２０内のPGW-C２４、及びPGW-UとしてのLGW１４を選択することが可能になる。
【００７８】
また、本実施形態では、MME２１は、スタンドアロンGW１２（LGW１４）がPGW C/U分離を適用される場合に、RAN１０でオフロードされるトラフィックに関するセッションの生成をトリガーするためのCreate Session Requestメッセージに、PGW-Cアドレス及びPGW-Uアドレスの両方を含める。したがって、MME２１は、スタンドアロンGW１２（LGW１４）のPGW C/U分離を可能にするために、PGW-UとしてLGW１４が選択されるべきであることをPGW-C２４に知らせることができる。
【００７９】
また、本実施形態では、MME２１によって選択されたSGW（又はSGW-C）は、MME２１から受信したCreate Session RequestメッセージがPGW-Uアドレスを包含する場合に、当該PGW-Uアドレスを包含するCreate Session Requestメッセージを生成してこれをPGW-C２４に送る。したがって、当該SGWは、LGW１４のPGW C/U分離を可能にするためのPGW-C２４によるPGW-U選択を支援（assist）することができる。
【００８０】
なお、本実施形態で述べたMME２１によるPGW-Uアドレスの取得は、PGW-U選択と言わずに、PGW-C２４によるPGW-U選択の支援と言うこともできる。この場合、PGW-C２４のPGW-U選択機能は、Create Session RequestメッセージがPGW-Uアドレスを包含する場合に、DNS問合せの代わりに、MME２１によってCreate Session Requestメッセージにおいて提案されたPGW-Uアドレスを使用するよう動作してもよい。PGW-Uアドレス（i.e., LGW１４のアドレス）を包含するCreate Session Requestメッセージは、SIPTO at the Local Networkのために適切なPGW-Uノードを選択することをPGW-Cノード（i.e., PGW-C２４）に可能とする。
【００８１】
＜第６の実施形態＞
本実施形態は、第１の実施形態で説明されたSIPTO at the Local Network with stand-alone GWのための改良されたネットワークのために効果的なMME２１、SGW（又はSGW-C）、及びPGW-C２４の動作を提供する。本実施形態では、第５の実施形態と同様に、MME２１がPGW-U選択（i.e., PGW-Uアドレスの取得）を行う例が説明される。
【００８２】
図１０は、MME２１の動作の一例（処理１０００）を示すフローチャートである。処理１０００は、UE１からのPDNコネクション確立の要求（e.g., attach request、又はPDN Connectivity Request）の受信に応答したMME２１の動作を示している。ステップ１００１及び１００２の処理は、図４のステップ４０１及び４０２の処理と同様であり、且つ図７のステップ７０１及び７０２の処理と同様である。
【００８３】
ステップ１００３では、スタンドアロンGW１２（又はLGW１４）が当該APNに関してPGW C/U分離を適用される場合、MME２１は、PGW-U選択およびPGW-C選択を行う。図１０の例では、MME２１は、APN及び(H)eNB１１から供給されたLHN IDを用いたDNS問合せを行う。当該DNS問合せにより、MME２１は、PGW-Uアドレス（i.e., スタンドアロンGW１２又はLGW１４のアドレス）及びPGW-Cアドレス（i.e., PGW-C２４のアドレス）の両方をDNSサーバから受信する。
【００８４】
図１０のステップ１００４及び１００５の処理は、図７のステップ７０４及び７０５の処理と同様である。
【００８５】
本実施形態に係るSGW（又はSGW-C）の動作及びPGW-C２４の動作は、第５の実施形態に係るSGW（又はSGW-C）の動作（e.g., 図８）及びPGW-C２４の動作（e.g., 図９）と同様である。
【００８６】
本実施形態は、第５の実施形態と同様の効果を奏することができる。
【００８７】
＜第７の実施形態＞
本実施形態は、第２の実施形態で説明されたLIPA及びSIPTO at the Local Network with L-GW collocated with the (H)eNB のための改良されたネットワークのために効果的なMME２１、SGW（又はSGW-C）、及びPGW-C２４の動作を提供する。
【００８８】
図１１は、MME２１の動作の一例（処理１１００）を示すフローチャートである。処理１１００は、UE１からのPDNコネクション確立の要求（e.g., attach request、又はPDN Connectivity Request）の受信に応答したMME２１の動作を示している。
【００８９】
ステップ１００１では、MME２１は、SIPTO at the Local Network with L-GW collocated with the (H)eNBをサポートする(H)eNB１１を経由して、UE１からPDNコネクションの要求を受信する。ステップ１１０２では、MME２１は、要求されたPDNコネクションに関連付けられたAPNがSIPTO at the Local Networkを許可されている場合、当該(H)eNB１１と一体的に配置された（collocated）LGW１４が当該APNに関してPGW C/U分離を適用されるか否かを判定する。ステップ１１０２の判定は、図３のステップ３０２の判定と同様に行われてもよい。
【００９０】
LGW１４が当該APNに関してPGW C/U分離を適用されない場合、MME２１は、既存のSIPTO at the Local Network with L-GW collocated with the (H)eNBの規定に従ってPGW選択を行う。すなわち、MME２１のPGW選択機能は、DNS問合せの代わりに、(H)eNB１１によって提案されたLGWアドレスを使用する。
【００９１】
これに対して、LGW１４が当該APNに関してPGW C/U分離を適用される場合、MME２１は、APNを用いてDNS問合せを行う（ステップ１１０３）。当該DNS問合せによって、MME２１は、EPC２０内のPGW-C２４のアドレスをDNSサーバから受信する。
【００９２】
ステップ１１０４では、MME２１は、PGW-U選択を行う。ここでは、MME２１は、既存のSIPTO at the Local Network with L-GW collocated with the (H)eNBのためのPGW選択の規定に従ってPGW-Uを選択する。すなわち、MME２１は、(H)eNB１１によって提案されたLGWアドレスに基づいて、PGW-Uを選択する。言い換えると、MME２１は、 (H)eNB１１によって提案されたLGWアドレスをPGW-Uアドレスとして選択する。
【００９３】
ステップ１１０５では、MME２１は、SGW選択を行う。既に説明したように、SGWとLGWのコロケーションは、SIPTO at the Local Network with L-GW collocated with the (H)eNB に適用されない。したがって、MME２１は、既存のSGW選択（e.g., DNS問合せ）を行えばよい。
【００９４】
ステップ１１０６では、MME２１は、選択されたSGWにCreate Session Requestメッセージを送る。ステップ１１０６は、SIPTO at the Local Network with L-GW collocated with the (H)eNBのためにEPC２０内のPGW-C２４が選択された場合（ステップ１１０３）に行われる動作を示している。すなわち、MME２１は、PGW-Cアドレス（i.e., PGW-C２４のアドレス）及びPGW-Uアドレス（i.e., LGW１４のアドレス）の両方をCreate Session Requestメッセージに含める。
【００９５】
本実施形態に係るSGW（又はSGW-C）の動作及びPGW-C２４の動作は、第５の実施形態に係るSGW（又はSGW-C）の動作（e.g., 図８）及びPGW-C２４の動作（e.g., 図９）と同様である。
【００９６】
以上の説明から理解されるように、本実施形態では、MME２１は、(H)eNB１１と一体的に配置されたLGW１４がPGW C/U分離を適用される場合に、 (H)eNB１１から低難されたLGWアドレスに従わずに、APNを用いたPGW-C選択のためのDNS問合せを行う。これにより、MME２１は、(H)eNB１１と一体的に配置されたLGW１４がPGW C/U分離を適用される場合に、EPC２０内のPGW-C２４をPGW-Cとして選択することが可能になる。
【００９７】
また、本実施形態では、MME２１は、(H)eNB１１と一体的に配置されたLGW１４がPGW C/U分離を適用される場合に、RAN１０でオフロードされるトラフィックに関するセッションの生成をトリガーするためのCreate Session Requestメッセージに、PGW-Cアドレス及びPGW-Uアドレスの両方を含める。したがって、MME２１は、(H)eNB１１と一体的に配置されたLGW１４のPGW C/U分離を可能にするために、PGW-UとしてLGW１４が選択されるべきであることをPGW-C２４に知らせることができる。
【００９８】
なお、既に説明したように、LIPAのネットワーク・アーキテクチャは、SIPTO at the Local Network with L-GW collocated with the (H)eNBのそれと同様である。したがって、本実施形態は、LIPAによるトラフィックオフロードの改良にも寄与することができる。
【００９９】
＜第８の実施形態＞
本実施形態は、第１の実施形態で説明されたSIPTO at the Local Network with stand-alone GWのための改良されたネットワークのために効果的なMME２１、SGW（又はSGW-C）、及びPGW-C２４の動作を提供する。
【０１００】
図１２は、本実施形態に係るシグナリング手順（処理１２００）の一例を示すシーケンス図である。ステップ１２０１では、MME２１は、選択されたSGW（e.g., ローカルSGW１３）に、Create Session Requestメッセージを送る。MME２１は、(H)eNB１１から受信したLHN ID をCreate Session Requestメッセージに含める。具体的には、MME２１がEPC２０内のPGW-U２４をSIPTO at the Local Network with stand-alone GW のために割り当てた場合、SIPTO at the Local Network with stand-alone GWのための適切なゲートウェイをPGW-C２４が選択できるようにするために、LHN IDがセットされる。したがって、ステップ１２０１のCreate Session Requestメッセージは、APN、PGW-Cアドレス（i.e., PGW-C２４のアドレス）、及び(H)eNB１１から受信したLHN IDを包含する。
【０１０１】
ステップ１２０２では、選択されたSGW（e.g., ローカルSGW１３）は、MME２１からのCreate Session Requestメッセージの受信に応答して、Create Session RequestメッセージをPGW-C２４に送信する。当該SGWは、MME２１から受信したLHN IDを、PGW-C２４へのCreate Session Requestメッセージに含める。
【０１０２】
図１２の手順は、LGW１４のPGW C/U分離を可能にするためのPGW-C２４によるPGW-U選択を支援（assist）することができる。
【０１０３】
＜第９の実施形態＞
本実施形態は、第１及び第２の実施形態で説明されたSIPTO at the Local Network及びLIPAのための改良されたネットワークのために効果的なMME２１、SGW（又はSGW-C）、及びPGW-C２４の動作を提供する。
【０１０４】
図１３は、本実施形態に係るシグナリング手順（処理１３００）の一例を示すシーケンス図である。ステップ１３０１では、MME２１は、選択されたSGW（e.g., ローカルSGW１３）に、Create Session Requestメッセージを送る。MME２１は、PGW-Cアドレス（i.e., PGW-C２４のアドレス）及びPGW-Uアドレス（i.e., スタンドアロンGW１２又はLGW１４のアドレス）の両方をCreate Session Requestメッセージに含める。したがって、ステップ１３０１のCreate Session Requestメッセージは、APN、PGW-Cアドレス（i.e., PGW-C２４のアドレス）、及びPGW-Uアドレス（i.e., スタンドアロンGW１２又はLGW１４のアドレス）を包含する。
【０１０５】
ステップ１３０２では、選択されたSGW（e.g., ローカルSGW１３）は、MME２１からのCreate Session Requestメッセージの受信に応答して、Create Session RequestメッセージをPGW-C２４に送信する。当該SGWは、MME２１から受信したPGW-Uアドレスを、PGW-C２４へのCreate Session Requestメッセージに含める。
【０１０６】
図１３に示された手順は、スタンドアロンGW１２に包含されるLGE１４、又は(H)eNB１１と一体的に配置されたLGW１４のPGW C/U分離を可能にするために、PGW-UとしてLGW１４が選択されるべきであることをPGW-C２４に知らせることができる。
【０１０７】
続いて以下では、上述の複数の実施形態に係るネットワークノード（e.g., スタンドアロンGW１２、ローカルSGW１３、LGW１４、MME２１、PGW-C２４、及び図示されていないSGW-C）の構成例について説明する。図１４は、上述の実施形態に係るネットワークノード１４００の構成例を示すブロック図である。ネットワークノード１４００は、例えば、スタンドアロンGW１２、ローカルSGW１３、LGW１４、MME２１、PGW-C２４、又は図示されていないSGW-Cである。
【０１０８】
図１４を参照すると、ネットワークノード１４００は、ネットワークインターフェース１４０１、プロセッサ１４０２、及びメモリ１４０３を含む。ネットワークインターフェース１４０１は、ネットワークノード（e.g., RANノード、他のネットワークノード）と通信するために使用される。ネットワークインターフェース１４０１は、例えば、IEEE 802.3 seriesに準拠したネットワークインタフェースカード（NIC）を含んでもよい。
【０１０９】
プロセッサ１４０２は、例えば、マイクロプロセッサ、Micro Processing Unit（MPU）、又はCentral Processing Unit（CPU）であってもよい。プロセッサ１４０２は、複数のプロセッサを含んでもよい。
【０１１０】
メモリ１４０３は、揮発性メモリ及び不揮発性メモリの組み合わせによって構成される。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。メモリ１４０３は、プロセッサ１４０２から離れて配置されたストレージを含んでもよい。この場合、プロセッサ１４０２は、ネットワークインターフェース１４０１又は図示されていないI/Oインタフェースを介してメモリ１４０３にアクセスしてもよい。
【０１１１】
メモリ１４０３は、上述の複数の実施形態で説明されたネットワークノードによる処理を行うための命令群およびデータを含む１又は複数のソフトウェアモジュール（コンピュータプログラム）１４０４を格納してもよい。いくつかの実装において、プロセッサ１４０２は、当該１又は複数のソフトウェアモジュール１４０４をメモリ１４０３から読み出して実行することで、上述の実施形態で説明されたネットワークノードの処理を行うよう構成されてもよい。
【０１１２】
図１４を用いて説明したように、上述の実施形態に係る（e.g., スタンドアロンGW１２、ローカルSGW１３、LGW１４、MME２１、PGW-C２４、及び図示されていないSGW-C）が有するプロセッサの各々は、図面を用いて説明されたアルゴリズムをコンピュータに行わせるための命令群を含む１又は複数のプログラムを実行する。このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１３】
＜その他の実施形態＞
上述の実施形態は、各々独立に実施されてもよいし、実施形態全体又はその一部が適宜組み合わせて実施されてもよい。
【０１１４】
上述の実施形態で説明された(H)eNB１１は、Cloud Radio Access Network（C-RAN）コンセプトに基づいて実装されてもよい。C-RANは、Centralized RANと呼ばれることもある。したがって、上述の実施形態で説明された(H)eNB１１により行われる処理及び動作は、C-RANアーキテクチャに含まれるDigital Unit（DU）又はDU及びRadio Unit（RU）の組み合せによって提供されてもよい。DUは、Baseband Unit（BBU）又はCentral Unit（CU）と呼ばれる。RUは、Remote Radio Head（RRH）、Remote Radio Equipment（RRE）、又はDistributed Unit（DU）とも呼ばれる。すなわち、上述の実施形態で説明された(H)eNB１１によって行われる処理及び動作は、任意の１又は複数の無線局（又はRANノード）によって提供されてもよい。
【０１１５】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【０１１６】
例えば、上記の実施形態の一部又は全部は、以下の付記のようにも記載され得るが、以下には限られない。
【０１１７】
（付記１）
コアネットワークに配置されるモビリティ管理エンティティであって、
少なくとも１つのメモリと、
前記少なくとも１つのメモリに結合された少なくとも１つのプロセッサと、
を備え、
前記少なくとも１つのプロセッサは、ローカル・ゲートウェイによってオフロードされる特定タイプのトラフィックのためのセッション確立手順において、パケット・データ・ネットワーク（Packet Data Network（PDN））ゲートウェイ選択を行うよう構成され、
前記ローカル・ゲートウェイは、基地局を含む無線アクセスネットワーク（Radio Access Network（RAN））内に配置され、PDNゲートウェイのユーザプレーンを備え、特定タイプのトラフィックをオフロードするために前記基地局にインターネットプロトコル（IP）接続性を提供するよう構成され、
前記PDNゲートウェイ選択は、前記ローカル・ゲートウェイが前記特定タイプのトラフィックに関連付けられたAccess Point Name（APN）に関してPDNゲートウェイのコントロールプレーン及びユーザプレーン分離を適用される場合に、前記コアネットワークに配置され且つPDNゲートウェイのコントロールプレーンを備える第１のコントロールプレーン・ノードを選択することを含む、
モビリティ管理エンティティ。
【０１１８】
（付記２）
前記少なくとも１つのプロセッサは、
前記特定タイプのトラフィックに関するセッションの生成をトリガーするための第１のコントロールメッセージを前記RANとのパケット転送ゲートウェイのコントロールプレーンに送るよう構成され、
前記ローカル・ゲートウェイが前記APNに関してPDNゲートウェイのコントロールプレーン及びユーザプレーン分離を適用される場合に、前記基地局から受信したローカル・ホーム・ネットワーク識別子（Local Home Network (LHN) ID）を前記第１のコントロールメッセージに含めるよう構成され、
前記LHN IDは、前記ローカル・ゲートウェイ及び前記ローカル・ゲートウェイによってIP接続性を提供される少なくとも１つの基地局により構成されるLocal Home Network（LHN）をPublic Land Mobile Network（PLMN）内で一意に識別する識別子である、
付記１に記載のモビリティ管理エンティティ。
【０１１９】
（付記３）
前記少なくとも１つのプロセッサは、
前記ローカル・ゲートウェイが前記APNに関してPDNゲートウェイのコントロールプレーン及びユーザプレーン分離を適用されない場合に、前記APN及び前記LHN IDの両方を用いてPDNゲートウェイ選択のためのDomain Name System（DNS）問合せ（interrogation）を行うよう構成され、
前記ローカル・ゲートウェイが前記APNに関してPDNゲートウェイのコントロールプレーン及びユーザプレーン分離を適用される場合に、前記LHN IDを用いずに前記APNを用いてDNS問合せを行うよう構成されている、
付記２に記載のモビリティ管理エンティティ。
【０１２０】
（付記４）
前記少なくとも１つのプロセッサは、前記ローカル・ゲートウェイが前記APNに関してPDNゲートウェイのコントロールプレーン及びユーザプレーン分離を適用されるか否かを、前記LHN IDと前記APNとに基づいて判定するよう構成されている、
付記２又は３に記載のモビリティ管理エンティティ。
【０１２１】
（付記５）
前記少なくとも１つのプロセッサは、
前記特定タイプのトラフィックに関するセッションの生成をトリガーするための第１のコントロールメッセージを前記RANとのパケット転送ゲートウェイのコントロールプレーンに送るよう構成され、
前記ローカル・ゲートウェイが前記APNに関してPDNゲートウェイのコントロールプレーン及びユーザプレーン分離を適用される場合に、PDNゲートウェイのコントロールプレーンのアドレスとしての前記第１のコントロールプレーン・ノードのアドレス及びPDNゲートウェイのユーザプレーンのアドレスとしての前記ローカル・ゲートウェイのアドレスの両方を前記第１のコントロールメッセージに含めるよう構成され、
前記ローカル・ゲートウェイが前記APNに関してPDNゲートウェイのコントロールプレーン及びユーザプレーン分離を適用されない場合に、PDNゲートウェイのアドレスとしての前記ローカル・ゲートウェイのアドレスを前記第１のコントロールメッセージに含めるよう構成されている、
付記１に記載のモビリティ管理エンティティ。
【０１２２】
（付記６）
前記少なくとも１つのプロセッサは、前記ローカル・ゲートウェイが前記APNに関してPDNゲートウェイのコントロールプレーン及びユーザプレーン分離を適用される場合に、前記基地局から受信したローカル・ホーム・ネットワーク識別子（Local Home Network (LHN) ID）を用いずに前記APNを用いた第１のDomain Name System（DNS）問合せ（interrogation）を行うことによりPDNゲートウェイのコントロールプレーンを選択するよう構成され、前記APN及び前記LHN IDの両方を用いた第２のDNS問い合せを行うことによりPDNゲートウェイのユーザプレーンを選択するよう構成されている、
付記５に記載のモビリティ管理エンティティ。
【０１２３】
（付記７）
前記少なくとも１つのプロセッサは、前記ローカル・ゲートウェイが前記APNに関してPDNゲートウェイのコントロールプレーン及びユーザプレーン分離を適用される場合に、PDNゲートウェイのコントロールプレーンのアドレスとしての前記第１のコントロールプレーン・ノードのアドレス及びPDNゲートウェイのユーザプレーンのアドレスとしての前記ローカル・ゲートウェイのアドレスの両方を、Domain Name System（DNS）問合せにより取得するよう構成されている、
付記５に記載のモビリティ管理エンティティ。
【０１２４】
（付記８）
前記少なくとも１つのプロセッサは、
前記ローカル・ゲートウェイが前記APNに関してPDNゲートウェイのコントロールプレーン及びユーザプレーン分離を適用されない場合に、Domain Name System（DNS）問合せ（interrogation）の代わりに、前記基地局によって提案された前記ローカル・ゲートウェイのアドレスをPDNゲートウェイ選択のために使用するよう構成され、
前記ローカル・ゲートウェイが前記APNに関してPDNゲートウェイのコントロールプレーン及びユーザプレーン分離を適用される場合に、PDNゲートウェイのコントロールプレーンの選択のためにDNS問合せを行うよう構成されている、
付記１に記載のモビリティ管理エンティティ。
【０１２５】
（付記９）
前記少なくとも１つのプロセッサは、前記ローカル・ゲートウェイが前記APNに関してPDNゲートウェイのコントロールプレーン及びユーザプレーン分離を適用される場合に、前記基地局から受信したローカル・ホーム・ネットワーク識別子（Local Home Network (LHN) ID）を用いずに前記APNを用いてDNS問合せを行うよう構成され、
前記LHN IDは、前記ローカル・ゲートウェイ及び前記ローカル・ゲートウェイによってIP接続性を提供される少なくとも１つの基地局により構成されるLocal Home Network（LHN）をPublic Land Mobile Network（PLMN）内で一意に識別する識別子である、
付記８に記載のモビリティ管理エンティティ。
【０１２６】
（付記１０）
前記少なくとも１つのプロセッサは、前記ローカル・ゲートウェイが前記APNに関してPDNゲートウェイのコントロールプレーン及びユーザプレーン分離を適用される場合に、前記基地局によって提案された前記ローカル・ゲートウェイのアドレスに基づいて、PDNゲートウェイのユーザプレーンを選択するよう構成されている、
付記８又は９に記載のモビリティ管理エンティティ。
【０１２７】
（付記１１）
前記少なくとも１つのプロセッサは、前記ローカル・ゲートウェイが前記APNに関してPDNゲートウェイのコントロールプレーン及びユーザプレーン分離を適用されるか否かを、前記基地局又は前記ローカル・ゲートウェイの識別子と前記APNとに基づいて判定するよう構成されている、
付記８〜１０のいずれか１項に記載のモビリティ管理エンティティ。
【０１２８】
（付記１２）
前記少なくとも１つのプロセッサは、
前記特定タイプのトラフィックに関するセッションの生成をトリガーするための第１のコントロールメッセージを前記RANとのパケット転送ゲートウェイのコントロールプレーンに送るよう構成され、
前記ローカル・ゲートウェイが前記APNに関してPDNゲートウェイのコントロールプレーン及びユーザプレーン分離を適用される場合に、PDNゲートウェイのコントロールプレーンのアドレスとしての前記第１のコントロールプレーン・ノードのアドレス及びPDNゲートウェイのユーザプレーンのアドレスとしての前記ローカル・ゲートウェイのアドレスの両方を前記第１のコントロールメッセージに含めるよう構成されている、
付記８〜１１のいずれか１項に記載のモビリティ管理エンティティ。
【０１２９】
（付記１３）
基地局を含む無線アクセスネットワーク（Radio Access Network（RAN））内に配置されるローカル・ゲートウェイであって、
少なくとも１つのメモリと、
前記少なくとも１つのメモリに結合された少なくとも１つのプロセッサと、
を備え、
前記少なくとも１つのプロセッサは、
外部パケットネットワーク（Packet Data Network（PDN））とのPDNゲートウェイのユーザプレーンを提供するよう構成され；
特定タイプのトラフィックをオフロードするために前記基地局にインターネットプロトコル（IP）接続性を提供するよう構成され；
コアネットワークに配置されたコントロールプレーン・ノードとのコントロールプレーン・インタフェースを提供するよう構成され、ここで、前記コントロールプレーン・ノードは、PDNゲートウェイのコントロールプレーンを備え、且つポリシー及び課金の制御（Policy and Charging Control（PCC））に関する複数のPCCエンティティのうち少なくとも１つとのコントロールプレーン・インタフェースを備える；
ローカル・ゲートウェイ。
【０１３０】
（付記１４）
前記少なくとも１つのプロセッサは、前記コントロールプレーン・ノードからPCCルールを受信し、Policy and Charging Enforcement Function（PCEF）を実行するよう構成されている、
付記１３に記載のローカル・ゲートウェイ。
【０１３１】
（付記１５）
前記少なくとも１つのプロセッサは、前記PCCルールに従ってオフロードされる前記特定タイプのトラフィックに対するQuality of Service（QoS）制御若しくは課金情報の収集又はこれら両方を行うよう構成されている、
付記１４に記載のローカル・ゲートウェイ。
【０１３２】
（付記１６）
コアネットワークに配置されるコントロールプレーン・ノードであって、
少なくとも１つのメモリと、
前記少なくとも１つのメモリに結合された少なくとも１つのプロセッサと、
を備え、
前記少なくとも１つのプロセッサは、
外部パケットネットワーク（Packet Data Network（PDN））ゲートウェイのコントロールプレーンを提供するよう構成され；
ポリシー及び課金の制御（Policy and Charging Control（PCC））に関する複数のPCCエンティティのうち少なくとも１つとの第１のコントロールプレーン・インタフェースを提供するよう構成され；
基地局を含む無線アクセスネットワーク（Radio Access Network（RAN））内に配置されたローカル・ゲートウェイとのコントロールプレーン・インタフェースを提供するよう構成され、ここで、前記ローカル・ゲートウェイは、PDNゲートウェイのユーザプレーンを備え、特定タイプのトラフィックをオフロードするために前記基地局にインターネットプロトコル（IP）接続性を提供する；
コントロールプレーン・ノード。
【０１３３】
（付記１７）
前記少なくとも１つのプロセッサは、前記少なくとも１つのPCCエンティティからPCCルールを受信し、前記PCCルールを前記ローカル・ゲートウェイに送るよう構成されている、
付記１６に記載のコントロールプレーン・ノード。
【０１３４】
（付記１８）
前記少なくとも１つのプロセッサは、PDNゲートウェイのユーザプレーンの選択のために前記特定タイプのトラフィックに関連付けられたAccess Point Name（APN）、及びローカル・ホーム・ネットワーク識別子（Local Home Network (LHN) ID）の両方を用いたDomain Name System（DNS）問合せ（interrogation）を行い、前記ローカル・ゲートウェイを選択するよう構成され、
前記LHN IDは、前記ローカル・ゲートウェイ及び前記ローカル・ゲートウェイによってIP接続性を提供される少なくとも１つの基地局により構成されるLocal Home Network（LHN）をPublic Land Mobile Network（PLMN）内で一意に識別する識別子である、
付記１６又は１７に記載のコントロールプレーン・ノード。
【０１３５】
（付記１９）
前記少なくとも１つのプロセッサは、前記RANとのパケット転送ゲートウェイのコントロールプレーンから、前記APN及び前記LHN IDを包含するコントロールメッセージを受信するよう構成され、
前記コントロールメッセージに応答して、前記特定タイプのトラフィックに関するセッションの生成を前記ローカル・ゲートウェイに要求するよう構成されている、
付記１８に記載のコントロールプレーン・ノード。
【０１３６】
（付記２０）
前記少なくとも１つのプロセッサは、
前記特定タイプのトラフィックに関連付けられたAccess Point Name（APN）と、PDNゲートウェイのコントロールプレーンのアドレスとしての前記コントロールプレーン・ノードのアドレスと、PDNゲートウェイのユーザプレーンのアドレスとしての前記ローカル・ゲートウェイのアドレスとを包含するコントロールメッセージを受信するよう構成され、
前記コントロールメッセージに応答して、前記特定タイプのトラフィックに関するセッションの生成を前記ローカル・ゲートウェイに要求するよう構成されている、
付記１６又は１７に記載のコントロールプレーン・ノード。
【０１３７】
（付記２１）
コアネットワークに配置され、パケット・データ・ネットワーク（Packet Data Network（PDN））ゲートウェイのコントロールプレーンを備え、且つポリシー及び課金の制御（Policy and Charging Control（PCC））に関する複数のPCCエンティティのうち少なくとも１つとの第１のコントロールプレーン・インタフェースを提供するよう構成された第１のコントロールプレーン・ノードと、
基地局を含む無線アクセスネットワーク（Radio Access Network（RAN））内に配置され、PDNゲートウェイのユーザプレーンを備え、特定タイプのトラフィックをオフロードするために前記基地局にインターネットプロトコル（IP）接続性を提供するよう構成され、且つ前記第１のコントロールプレーン・ノードとの第２のコントロールプレーン・インタフェースを提供するよう構成されたローカル・ゲートウェイと、
を備える、
無線通信ネットワーク。
【０１３８】
（付記２２）
前記第１のコントロールプレーン・ノードは、前記第１のコントロールプレーン・インタフェース上で前記少なくとも１つのPCCエンティティからPCCルールを受信するよう構成され、
前記ローカル・ゲートウェイは、前記第２のコントロールプレーン・インタフェース上で前記第１のコントロールプレーン・ノードから前記PCCルールを受信し、Policy and Charging Enforcement Function（PCEF）を実行するよう構成されている、
付記２１に記載の無線通信ネットワーク。
【０１３９】
（付記２３）
前記ローカル・ゲートウェイは、前記PCCルールに従ってオフロードされる前記特定タイプのトラフィックに対するQuality of Service（QoS）制御若しくは課金情報の収集又はこれら両方を行うよう構成されている、
付記２２に記載の無線通信ネットワーク。
【０１４０】
（付記２４）
前記無線通信ネットワークは、前記コアネットワークに配置されるモビリティ管理エンティティをさらに備え、
前記モビリティ管理エンティティは、
前記ローカル・ゲートウェイが前記特定タイプのトラフィックに関連付けられたAccess Point Name（APN）に関してPDNゲートウェイのコントロールプレーン及びユーザプレーン分離を適用されない場合に、前記APN及び前記基地局から受信したローカル・ホーム・ネットワーク識別子（Local Home Network (LHN) ID）の両方を用いてPDNゲートウェイ選択のためのDomain Name System（DNS）問合せ（interrogation）を行うよう構成され、
前記ローカル・ゲートウェイが前記APNに関してPDNゲートウェイのコントロールプレーン及びユーザプレーン分離を適用される場合に、前記LHN IDを用いずに前記APNを用いてDNS問合せを行うよう構成され、
前記LHN IDは、前記ローカル・ゲートウェイ及び前記ローカル・ゲートウェイによってIP接続性を提供される少なくとも１つの基地局により構成されるLocal Home Network（LHN）をPublic Land Mobile Network（PLMN）内で一意に識別する識別子である、
付記２１〜２３のいずれか１項に記載の無線通信ネットワーク。
【０１４１】
（付記２５）
前記モビリティ管理エンティティは、前記ローカル・ゲートウェイが前記APNに関してPDNゲートウェイのコントロールプレーン及びユーザプレーン分離を適用されるか否かを、前記LHN IDと前記APNとに基づいて判定するよう構成されている、
付記２４に記載の無線通信ネットワーク。
【０１４２】
（付記２６）
前記無線通信ネットワークは、前記ローカル・ゲートウェイ又は前記コアネットワークに配置される前記RANとのパケット転送ゲートウェイのコントロールプレーンをさらに備え、
前記モビリティ管理エンティティは、前記LHN IDを包含する第１のコントロールメッセージを前記パケット転送ゲートウェイの前記コントロールプレーンに送るよう構成され、
前記パケット転送ゲートウェイの前記コントロールプレーンは、前記第１のコントロールメッセージの受信に応答して、前記LHN IDを包含する第２のコントロールメッセージを前記第１のコントロールプレーン・ノードに送るよう構成され、
付記２４又は２５に記載の無線通信ネットワーク。
【０１４３】
（付記２７）
前記第１のコントロールプレーン・ノードは、PDNゲートウェイのユーザプレーンの選択のために前記APN及び前記LHN IDを用いたDNS問合せを行い、前記ローカル・ゲートウェイを選択するよう構成されている、
付記２４〜２６のいずれか１項に記載の無線通信ネットワーク。
【０１４４】
（付記２８）
前記ローカル・ゲートウェイは、スタンドアロン（stand-alone）ゲートウェイであり、前記RANとのパケット転送ゲートウェイのユーザプレーンをさらに備える、
付記２４〜２７のいずれか１項に記載の無線通信ネットワーク。
【０１４５】
（付記２９）
前記無線通信ネットワークは、
前記コアネットワークに配置されるモビリティ管理エンティティと、
前記コアネットワークに配置される前記RANとのパケット転送ゲートウェイのコントロールプレーンと、
をさらに備え、
前記モビリティ管理エンティティは、
前記特定タイプのトラフィックに関するセッションの生成をトリガーするために第１のコントロールメッセージを前記パケット転送ゲートウェイの前記コントロールプレーンに送るよう構成され、
前記ローカル・ゲートウェイが前記特定タイプのトラフィックに関連付けられたAccess Point Name（APN）に関してPDNゲートウェイのコントロールプレーン及びユーザプレーン分離を適用されない場合に、PDNゲートウェイのアドレスとしての前記ローカル・ゲートウェイのアドレスを前記第１のコントロールメッセージに含めるよう構成され、
前記ローカル・ゲートウェイが前記APNに関してPDNゲートウェイのコントロールプレーン及びユーザプレーン分離を適用される場合に、PDNゲートウェイのコントロールプレーンのアドレスとしての前記第１のコントロールプレーン・ノードのアドレス及びPDNゲートウェイのユーザプレーンのアドレスとしての前記ローカル・ゲートウェイのアドレスの両方を前記第１のコントロールメッセージに含めるよう構成されている、
付記２１〜２３のいずれか１項に記載の無線通信ネットワーク。
【０１４６】
（付記３０）
前記パケット転送ゲートウェイの前記コントロールプレーンは、前記第１のコントロールメッセージがPDNゲートウェイのコントロールプレーンのアドレスとしての前記第１のコントロールプレーン・ノードのアドレス及びPDNゲートウェイのユーザプレーンのアドレスとしての前記ローカル・ゲートウェイのアドレスの両方を包含する場合に、PDNゲートウェイのユーザプレーンのアドレスとしての前記ローカル・ゲートウェイのアドレスを包含する第２のコントロールメッセージを前記第１のコントロールプレーン・ノードに送るよう構成されている、
付記２９に記載の無線通信ネットワーク。
【０１４７】
（付記３１）
前記モビリティ管理エンティティは、前記ローカル・ゲートウェイが前記APNに関してPDNゲートウェイのコントロールプレーン及びユーザプレーン分離を適用される場合に、前記基地局から受信したローカル・ホーム・ネットワーク識別子（Local Home Network (LHN) ID）を用いずに前記APNを用いた第１のDomain Name System（DNS）問合せ（interrogation）を行うことによりPDNゲートウェイのコントロールプレーンを選択するよう構成され、前記APN及び前記LHN IDの両方を用いた第２のDNS問い合せを行うことによりPDNゲートウェイのユーザプレーンを選択するよう構成されている、
付記２９又は３０に記載の無線通信ネットワーク。
【０１４８】
（付記３２）
前記モビリティ管理エンティティは、前記ローカル・ゲートウェイが前記APNに関してPDNゲートウェイのコントロールプレーン及びユーザプレーン分離を適用される場合に、PDNゲートウェイのコントロールプレーンのアドレスとしての前記第１のコントロールプレーン・ノードのアドレス及びPDNゲートウェイのユーザプレーンのアドレスとしての前記ローカル・ゲートウェイのアドレスの両方を、Domain Name System（DNS）問合せにより取得するよう構成されている、
付記２９又は３０に記載の無線通信ネットワーク。
【０１４９】
（付記３３）
前記ローカル・ゲートウェイは、スタンドアロン（stand-alone）ゲートウェイであり、前記パケット転送ゲートウェイのユーザプレーンをさらに備える、
付記２９〜３１のいずれか１項に記載の無線通信ネットワーク。
【０１５０】
（付記３４）
前記無線通信ネットワークは、前記コアネットワークに配置されるモビリティ管理エンティティをさらに備え、
前記モビリティ管理エンティティは、
前記ローカル・ゲートウェイが前記特定タイプのトラフィックに関連付けられたAccess Point Name（APN）に関してPDNゲートウェイのコントロールプレーン及びユーザプレーン分離を適用されない場合に、Domain Name System（DNS）問合せ（interrogation）の代わりに、前記基地局によって提案された前記ローカル・ゲートウェイのアドレスをPDNゲートウェイ選択のために使用するよう構成され、
前記ローカル・ゲートウェイが前記APNに関してPDNゲートウェイのコントロールプレーン及びユーザプレーン分離を適用される場合に、PDNゲートウェイのコントロールプレーンの選択のためにDNS問合せを行うよう構成されている、
付記２１〜２３のいずれか１項に記載の無線通信ネットワーク。
【０１５１】
（付記３５）
前記モビリティ管理エンティティは、前記ローカル・ゲートウェイが前記APNに関してPDNゲートウェイのコントロールプレーン及びユーザプレーン分離を適用される場合に、前記基地局から受信したローカル・ホーム・ネットワーク識別子（Local Home Network (LHN) ID）を用いずに前記APNを用いてDNS問合せを行うよう構成され、
前記LHN IDは、前記ローカル・ゲートウェイ及び前記ローカル・ゲートウェイによってIP接続性を提供される少なくとも１つの基地局により構成されるLocal Home Network（LHN）をPublic Land Mobile Network（PLMN）内で一意に識別する識別子である、
付記３４に記載の無線通信ネットワーク。
【０１５２】
（付記３６）
前記モビリティ管理エンティティは、前記ローカル・ゲートウェイが前記APNに関してPDNゲートウェイのコントロールプレーン及びユーザプレーン分離を適用される場合に、前記基地局によって提案された前記ローカル・ゲートウェイのアドレスに基づいて、PDNゲートウェイのユーザプレーンを選択するよう構成されている、
付記３４又は３５に記載の無線通信ネットワーク。
【０１５３】
（付記３７）
前記モビリティ管理エンティティは、前記ローカル・ゲートウェイが前記APNに関してPDNゲートウェイのコントロールプレーン及びユーザプレーン分離を適用されるか否かを、前記基地局又は前記ローカル・ゲートウェイの識別子と前記APNとに基づいて判定するよう構成されている、
付記３４〜３６のいずれか１項に記載の無線通信ネットワーク。
【０１５４】
（付記３８）
前記無線通信ネットワークは、前記コアネットワークに配置される前記RANとのパケット転送ゲートウェイのコントロールプレーンをさらに備え、
前記モビリティ管理エンティティは、前記ローカル・ゲートウェイが前記APNに関してPDNゲートウェイのコントロールプレーン及びユーザプレーン分離を適用される場合に、PDNゲートウェイのコントロールプレーンのアドレスとしての前記第１のコントロールプレーン・ノードのアドレス及びPDNゲートウェイのユーザプレーンのアドレスとしての前記ローカル・ゲートウェイのアドレスの両方を包含する第１のコントロールメッセージを前記パケット転送ゲートウェイの前記コントロールプレーンに送るよう構成され、
前記パケット転送ゲートウェイの前記コントロールプレーンは、前記第１のコントロールメッセージの受信に応答して、PDNゲートウェイのユーザプレーンのアドレスとしての前記ローカル・ゲートウェイのアドレスを包含する第２のコントロールメッセージを前記第１のコントロールプレーン・ノードに送るよう構成されている、
付記３４〜３７のいずれか１項に記載の無線通信ネットワーク。
【０１５５】
（付記３９）
前記ローカル・ゲートウェイは、前記基地局と一緒に配置された（collocated）ゲートウェイであり、前記RANとのパケット転送ゲートウェイのユーザプレーンをさらに備える、
付記３４〜３８のいずれか１項に記載の無線通信ネットワーク。
【符号の説明】
【０１５６】
１  User Equipment (UE)
１０  無線アクセスネットワーク（RAN）
１１  (Home) eNodeB ((H)eNB)
１２  スタンドアロン・ゲートウェイ (stand-alone Gateway (GW))
１３  ローカルServing Gateway (SGW)
１４  Local Gateway（LGW）
２０  Evolved Packet Core (EPC)
２１  Mobility Management Entity (MME) 
２４  Packet Data Network Gateway Control Plane (PGW-C)
２５  Policy and Charging Rule Function (PCRF)
２６  Online Charging System (OCS)
２７  Offline Charging System (OFCS)
２８  Serving Gateway (SGW)
１４０２  プロセッサ
１４０３  メモリ
【図１】
2020025351.tif 000003
【図２】
2020025351.tif 000004
【図３】
2020025351.tif 000005
【図４】
2020025351.tif 000006
【図５】
2020025351.tif 000007
【図６】
2020025351.tif 000008
【図７】
2020025351.tif 000009
【図８】
2020025351.tif 000010
【図９】
2020025351.tif 000011
【図１０】
2020025351.tif 000012
【図１１】
2020025351.tif 000013
【図１２】
2020025351.tif 000014
【図１３】
2020025351.tif 000015
【図１４】
2020025351.tif 000016